(57)【要約】【課題】ＲＮＣがＰＮＮＩを使用してＡＴＭネットワークと直接接続する場合に、ＲＮＣにおいてノードＢのトラフィック監視すること【解決手段】ＵＭＴＳ陸上無線アクセスネットワークを監視するために傍受されたＡＴＭネットワークのＡＴＭセルを受信し（８０）、前記傍受されたＡＴＭセルを自動的に解析し、静的なノードＢのチャネルと、前記ノードＢへまたはノードＢからトラフィックを搬送するのに使用される前記ＡＴＭネットワークの異なるプライベートチャネルとの間の対応を得て（８２，８４）、前記対応を記憶する（８６）ことにより、ＡＴＭネットワークによって搬送される移動電話シグナリングを監視して、対象となるチャネルを決定する。【選択図】図６
2006270947.tif 000002
【特許請求の範囲】
【請求項１】
ＡＴＭネットワークによって搬送される移動電話シグナリングを監視して、対象となるチャネルを決定する方法であって、
ＵＭＴＳ陸上無線アクセスネットワークを監視するために傍受されたＡＴＭネットワークのＡＴＭセルを受信するステップと、
前記傍受されたＡＴＭセルを自動的に解析し、静的なノードＢのチャネルと、前記ノードＢへまたはノードＢからトラフィックを搬送するのに使用される前記ＡＴＭネットワークの異なるプライベートチャネルとの間の対応を得るステップと、
前記対応を記憶するステップ、
を含むことを特徴とする方法。
【請求項２】
前記解析ステップが、接続メッセージを検出するステップと、ノードＢのＶＰＩ．ＶＣＩである接続番号のＶＰＩ．ＶＣＩを接続メッセージから抽出するステップを含むことを特徴とする請求項１に記載の方法。
【請求項３】
呼番号を前記接続メッセージから抽出するステップと、前記呼番号を前記対応と関連させて記憶するステップを、さらに含むことを特徴とする請求項２に記載の方法。
【請求項４】
接続を断絶するための解放メッセージを検出するステップと、以前に記憶された呼番号と一致する前記解放メッセージに基づいて、前記呼番号に関連付けられた、前記記憶された対応を消去するステップをさらに含むことを特徴とする請求項３に記載の方法。
【請求項５】
計算装置であって、請求項１乃至請求項４のいずれかに記載の方法を実行するように構成される計算装置。
【請求項６】
前記装置が、移動ネットワーク監視局を備えることを特徴とする請求項５に記載の計算装置。
【請求項７】
請求項１乃至請求項４のいずれかに記載の方法を実行することをコンピュータに可能にする情報を記憶するコンピュータ可読記録媒体。
【請求項８】
フレームをノードＢに関連付ける方法であって、
プライベートＡＴＭネットワークを介してノードＢと通信するＲＮＣのＰＮＮＩにおいてＡＴＭセルを受信し、前記ノードＢがＵＮＩを使用して前記プライベートＡＴＭネットワークに接続するステップと、
前記ＲＮＣと前記ノードＢとの間に接続が形成されている場合に、前記受信したＡＴＭセルから、前記ノードＢのＶＰＩ．ＶＣＩと前記プライベートＡＴＭネットワークのＶＰＩ．ＶＣＩとの間の関連を抽出するステップ、
を含むことを特徴とする方法。
【発明の詳細な説明】
【技術分野】
【０００１】
本発明は、移動電話通信の傍受に関する。
【背景技術】
【０００２】
ノードＢのトラフィックを監視することは、移動ネットワークの配備、テスト、及び監視を行うのに重要である。ノードＢを制御する無線ネットワークコントローラは、プライベートＡＴＭネットワークへのＵＮＩリンクを介し、次いで、ノードＢへのＵＮＩリンクを介して、ノードＢと通信する。ＵＮＩが、ＲＮＣをＡＴＭネットワークへ接続するのに使用される場合、ＵＮＩは識別可能なチャネルを有するので、ノードＢのトラフィックを監視することが可能である。しかしながら、ＲＮＣが、ＰＮＮＩリンクを使用してＡＴＭネットワークに直接アクセスする場合、ノードＢへ（そのＵＮＩを介して）トラフィックを搬送するのに使用されるＡＴＭチャネルの識別情報が知られていないので、ＲＮＣにおいてノードＢのトラフィックを監視することは不可能である。
【発明の開示】
【発明が解決しようとする課題】
【０００３】
ＲＮＣがＰＮＮＩを使用してＡＴＭネットワークと直接接続する場合に、ＲＮＣにおいてノードＢのトラフィック監視することが必要とされている。
【課題を解決するための手段】
【０００４】
本第一の発明は、ＡＴＭネットワークによって搬送される移動電話シグナリングを監視して、対象となるチャネルを決定する方法であって、ＵＭＴＳ陸上無線アクセスネットワークを監視するために傍受されたＡＴＭネットワークのＡＴＭセルを受信するステップと、前記傍受されたＡＴＭセルを自動的に解析し、静的なノードＢのチャネルと、前記ノードＢへまたはノードＢからトラフィックを搬送するのに使用される前記ＡＴＭネットワークの異なるプライベートチャネルとの間の対応を得るステップと、前記対応を記憶するステップを含むことを特徴とするものである。
【０００５】
本第二の発明は、本第一の発明の方法において、前記解析ステップが、接続メッセージを検出するステップと、ノードＢのＶＰＩ．ＶＣＩである接続番号のＶＰＩ．ＶＣＩを接続メッセージから抽出するステップを含むことを特徴とするものである。
【０００６】
本第三の発明は、本第二の発明において、呼番号を前記接続メッセージから抽出するステップと、前記呼番号を前記対応と関連させて記憶するステップを、さらに含むことを特徴とするものである。
【０００７】
本第四の発明は、本第三の発明において、接続を断絶するための解放メッセージを検出するステップと、以前に記憶された呼番号と一致する前記解放メッセージに基づいて、前記呼番号に関連付けられた、前記記憶された対応を消去するステップをさらに含むことを特徴とするものである。
【０００８】
本第五の発明は、本第一乃至本第四の発明のいずれかの方法を実行するように構成される計算装置である。
【０００９】
本第六の発明は、本第五の発明の装置において、前記装置が、移動ネットワーク監視局を備えることを特徴とするものである。
【００１０】
本第七の発明は、本第一乃至本第四の発明のいずれかの方法を実行することをコンピュータに可能にする情報を記憶するコンピュータ可読記録媒体である。
【００１１】
本第八の発明は、フレームをノードＢに関連付ける方法であって、プライベートＡＴＭネットワークを介してノードＢと通信するＲＮＣのＰＮＮＩにおいてＡＴＭセルを受信し、前記ノードＢがＵＮＩを使用して前記プライベートＡＴＭネットワークに接続するステップと、前記ＲＮＣと前記ノードＢとの間に接続が形成されている場合に、前記受信したＡＴＭセルから、前記ノードＢのＶＰＩ．ＶＣＩと前記プライベートＡＴＭネットワークのＶＰＩ．ＶＣＩとの間の関連を抽出するステップを含むことを特徴とするものである。
【発明を実施するための最良の形態】
【００１２】
いくつかの関連した頭字語は、無線ネットワークの技術分野において既知であるが、読み手の便宜のために、ここで繰り返す。用語「ＵＭＴＳ」は、汎用移動通信システム（Universal Mobile Telecommunications System）を指す。このＵＭＴＳは、移動通信システムの一タイプの既知の業界標準である。用語「ＣＮ」は、コアネットワーク（core network）を指す。用語「ノードＢ」は、ＵＭＴＳ基地局又は物理的なタワーを指す。用語「ＲＮＣ」は、無線ネットワークコントローラを指す。用語「ｌｕｂ」は、ノードＢとＲＮＣとの間のインターフェース又はリンクを指す。用語「ｌｕｒ」は、或るＲＮＣと別のＲＮＣとの間のインターフェース又はリンクを指す。用語「ｌｕ」は、ＲＮＣとＣＮとの間のインターフェース又はリンクを指す。用語「ＵＴＲＡＮ」は、ＵＭＴＳ陸上無線アクセスネットワークを指す。このＵＴＲＡＮは、ＵＭＴＳの実際の一実施態様である。用語「ＵＮＩ」は、ユーザネットワークインターフェース（User Network Interface）を指す。用語「ＰＮＮＩ」は、ネットワーク対ネットワークインターフェース（Network to Network Interface）を指す。用語「ＰＶＣＣ」は、相手先固定チャネル接続（Permanent Virtual Channel Connection）を指す。用語「ＨＥＣ」は、ヘッダエラー制御（Header Error Control）を指す。用語「ＳＶＣ」は、相手先選択回線（Switched Virtual Circuit）を指す。
【００１３】
これに加えて、用語「ＶＰＩ」（仮想パス指示子（virtual path indicator））は、ＡＴＭセルのヘッダの８ビットフィールド又は１２ビットフィールドを指す。用語「ＶＣＩ」（仮想チャネル指示子（virtual channel indicator））は、ＡＴＭセルのヘッダの１６ビットフィールドを指す。ＡＴＭスイッチは、ＶＰＩ／ＶＣＩフィールドを使用して、セルがその最終宛先へ向かう途中で通過する必要がある次のＶＣＬ（仮想チャネルリンク（virtual channel link））を特定する。換言すると、ＶＣＩは、ＶＰＩと共に、セルがその宛先に向かう途中にある一連のＡＴＭスイッチを通過する際のセルの次の宛先を特定するのに使用される。ＡＴＭスイッチは、ＶＰＩ／ＶＣＩフィールドを使用して、ＡＴＭセルがその最終宛先へ向かう途中で通過する必要がある次のネットワークのＶＣＬ（仮想チャネルリンク）を特定する。用語「ユーザプレーン」及び「制御プレーン」は、当該技術分野において既知であり、後述するＩＥＣの刊行物に解説されている。これら「ユーザプレーン」及び「制御プレーン」は、一般に、ユーザ指向型パケット（user-oriented packet）（ユーザプレーン）、及び、制御指向型パケット（control oriented packet）又はシステム指向型パケット（system oriented packet）（制御プレーン）を指す。
【００１４】
移動ネットワークを監視する必要がある。現在、ほとんどの移動ネットワークは、第２世代（「２Ｇ」）ネットワークである。第３世代（「３Ｇ」）移動ネットワークは、開発中である。２Ｇネットワークと同様に、３Ｇネットワークも、ノードＢと呼ばれるセルタワーを有する。セルタワーを制御するＲＮＣは、ＡＴＭネットワークを使用する。ＲＮＣからは、データが複数のノードＢに通信される。１つのＲＮＣは、数百にもなる多くのノードＢを制御することができる。ＲＮＣは、１つのロケーションに存在することができ、ＲＮＣによって制御されるノードＢは、建物の上や遠隔の丘の上等の遠隔の場所に存在することができる。多くの場合、一からＡＴＭネットワークを構築するのではなく、オペレータ又は移動プロバイダが別のエンティティのＡＴＭネットワークを使用する。このＡＴＭネットワークは、時に、プライベートＡＴＭネットワークと呼ばれる。プライベートＡＴＭネットワーク内のスイッチは、ＰＮＮＩを使用して協力する。ＰＮＮＩは、プライベートネットワークのＡＴＭスイッチ間でトポロジー情報を分配するためのプロトコルであり、プライベートネットワークを通るパスを計算するのに使用される。プライベートＡＴＭネットワークのエッジでは、移動プロバイダや他のユーザ等の顧客は、プライベートＡＴＭネットワークに接続し、必要とされるものをプライベートＡＴＭネットワークに告げる等を行う。
【００１５】
図１は、関連技術における移動ネットワークの一部を示している。いくつかの移動ネットワークは、プライベートネットワークを使用して、移動電話通信を搬送する。図１では、移動ネットワークのＲＮＣ５０が、プライベートＡＴＭネットワーク５２を使用して、ノードＢ  ５４と通信する。プライベートＡＴＭネットワーク５２は、ＰＮＮＩを使用して互いに通信するＡＴＭスイッチ５６を有する。第３世代移動ネットワークは、プライベートＡＴＭネットワーク５２のエッジにおいてＵＮＩプロトコルを使用して、プライベートＡＴＭネットワーク５２を通る通信を送受信している。
【００１６】
ＡＴＭは、ＶＰＩ及びＶＣＩを使用してチャネルを特定する。たとえば、特定のＲＮＣに関連したノードＢは、それぞれ、自身の公開ＶＰＩ及び公開ＶＣＩを有することができる。一方、プライベートＡＴＭネットワーク５２は、異なるプライベートＶＰＩ及びプライベートＶＣＩを使用して、ＲＮＣ５０とノードＢ  ５４との間でセルをルーティングする。通例、移動電話プロバイダ等の顧客又は加入者は、プライベートＡＴＭネットワーク５２の内部ＰＮＮＩルーティング情報にはアクセスしない。たとえば、ユーザは、プライベートＡＴＭネットワーク５２内でルーティングするのに使用されるプライベートＶＰＩ及びプライベートＶＣＩを知らない。
【００１７】
図２は、ＲＮＣがＰＮＮＩを使用してプライベートＡＴＭネットワーク５２とインターフェースする移動ネットワークの一部を示している。この場合、ＲＮＣは、プライベートＡＴＭネットワークのエッジにおいて、ＵＮＩではなくＰＮＮＩを使用している。実際には、ＲＮＣがＡＴＭネットワークのノードになる。以下で説明するように、これによって、ＲＮＣにおいて特定のノードＢのトラフィックを監視することが困難になる。その理由は、ノードＢ及びそのＵＮＩのＶＰＩ及びＶＣＩが知られていないからである。より具体的には、特定のノードＢ用の、ＰＮＮＩにおけるトラフィックをフィルタリングできることが望ましい。しかしながら、ノードＢのＶＰＩ．ＶＣＩが知られていない場合、ノードＢへ／ノードＢからからデータを搬送しているＡＴＭセルのみを特定又は選択することは困難であるか、又は、不可能である。
【００１８】
ＲＮＣがＰＮＮＩを使用する場合、ＲＮＣは、実際には、プライベートＡＴＭネットワークの一部になる。ＲＮＣ内では、通信は、ノードＢの静的な又は既知のＶＰＩ．ＶＣＩに送信される。しかしながら、プライベートＡＴＭネットワークは自身の内部ＶＰＩ及び内部ＶＣＩを使用して、ノードＢのトラフィックを内部でルーティングするので、ＲＮＣにおいてノードＢのトラフィックを監視することは困難である。換言すると、ＲＮＣにおけるユーザは、ノードＢのＶＰＩ．ＶＣＩを知っているが、機器製造業者が、ＰＮＮＩリンクを介してＡＴＭエッジスイッチへの直接アクセスを可能にすると、ＲＮＣは、有効にプライベートＡＴＭネットワークの一部になり、ネットワークモニタは、ＰＮＮＩにアクセスするだけとなる。
【００１９】
一技法は、ＰＮＮＩを横断するＰＮＮＩシグナリングメッセージを監視ポイントで監視して、監視ポイントにおける、ＵＮＩ  ＶＰＩ．ＶＣＩのＰＮＮＩ  ＶＰＩ．ＶＣＩへのマッピングを求めることである。
【００２０】
ＰＮＮＩプロトコルは、非常に複雑なプロトコルではあるが、ＲＮＣのＰＮＮＩにおけるノードＢのトラフィックの監視を容易にすることは可能である。図３は、ＰＶＣＣ（相手先固定チャネル接続）をセットアップする、ＲＮＣとＰＮＮＩとの間のメッセージのシーケンス７０を示している。ＲＮＣは、「セットアップ（setup）」メッセージを送信する。ＰＮＮＩは、「コール設定受付（call proceeding）」メッセージ、「アラート（alerting）」メッセージ、及び「接続（connect）」メッセージで応答する。
【００２１】
図４は、接続シーケンスを使用して、ＰＮＮＩにおけるノードＢのトラフィックの監視を容易にするためのプロセスを示している。まず、メッセージが受信される（Ｓ８０）。このメッセージは解析される。たとえば、メッセージのＶＰＩ．ＶＣＩ＝０．５である場合、そのメッセージは「接続」メッセージとして特定することができ、その「メッセージタイプ」は、Ｑ．２９３１によって定義されるように「ＣＯＮＮＥＣＴ」である。メッセージが接続メッセージである場合（Ｓ８２）、一定の情報が抽出される（Ｓ８４）。この抽出情報は、監視ポイントにおけるＵＮＩ／ノードＢのＶＰＩ．ＶＣＩ及びＰＮＮＩ接続のＶＰＩ．ＶＣＩを含むことができる。ノードＢのＶＰＩ．ＶＣＩは、ソフトＰＶＶＣから抽出される。ノードＢのＶＰＩ．ＶＣＩ及びプライベートネットワークのＶＰＩ．ＶＣＩは表に記憶される（Ｓ８６）。
【００２２】
図５は、図４のプロセスを実施できるシステムを示している。信号がＰＮＮＩの双方向リンク８０において受信される。分散ネットワークアナライザ（ＤＮＡ（Distributed Network Analyzer））８４のラインインターフェースモジュール（ＬＩＭ）８２が、これらの信号を受信して、ＬＩＭのインターフェース（たとえば、ＯＣ−３、ファイバ、Ｔ１銅等）のフォーマットをデータストリームに変換する。ＤＮＡ８４は関連するデータを取り込み、この関連するデータはＰＣ（パーソナルコンピュータ）８６に渡され、ＰＣ８６は、テストデータアキュムレータ、解析局等として動作する。
【００２３】
図６は、参照表におけるノードＢのＰＮＮＩ  ＶＰＩ．ＶＣＩを使用するテスト機器の機能図を示している。ＰＮＮＩからのＡＴＭセルが受信される。ＶＰＩ．ＶＣＩ＝０．５を有するセルは、シグナリングフォロワ９０に渡される。シグナリングフォロワ９０が「接続」メッセージを検出すると、ＰＮＮＩ：ＶＰＩ．ＶＣＩ及び関連したＵＮＩ／ノードＢ：ＶＰＩ．ＶＣＩが参照表（ルックアップテーブル）９２に追加される。シグナリングフォロワ９０が、接続を断絶する「接続解除（disconnect）」メッセージを検出すると、参照表９２は、対応するＶＰＩ．ＶＣＩ関連エントリを廃棄するように指示される。０．５でないＰＮＮＩからのＡＴＭセルは、参照表に渡され、そのＶＰＩ．ＶＣＩは、ＵＮＩにおけるＶＰＩ．ＶＣＩに変換される。変換されたセルは、再組み立てユニット９４に渡され、フレームに再組み立てされる。再組み立てユニット９４では、変換されたセルは、タグが付けられ、テスト局又はＰＣ９６に渡される。フレームプロトコルには、ＮＢＡＰ、ＡＬＣＡＰ、ＲＡＮＡＰ、ＲＮＳＡＰ、ＲＲＣ等が含まれるが、これらに限定されるものではない。
【００２４】
図７は、より詳細な図を示している。ラインインターフェースモジュール（ＬＩＭ）８２は、ＲＮＣのＰＮＮＩから信号データを受信する。ヘッダエラー制御（ＨＥＣ）識別器（delineator）が、ＬＩＭ８２からＡＴＭセルへのデータを識別する。ＶＰＩ．ＶＣＩ＝０．５を有するセルは、フィルタ１０２によってフィルタリングされ、バッファ１０４に渡される。場合によっては、シグナリングセルは、マイクロプロセッサ１０８がハンドリングできるよりも高速のレートで一時的に入力されることがある。メッセージキュー１０６は、バッファ１０４を管理し、すべてのシグナリングメッセージが到着順に処理されることを保証する。マイクロプロセッサ１０８は、組み合わせ：ＵＮＩ／ノードＢ  ＶＰＩ．ＶＣＩ、ＰＮＮＩ  ＶＰＩ．ＶＣＩで参照表１１０を更新する。ユーザは、ノードＢのトラフィックを観察したいので、この参照表は、ノードＢのトラフィックを特定するのに使用される。より具体的には、再組み立てユニット１１２は、参照表１１０を使用してセルのペイロードを再組み立てする。一実施の形態では、参照表は、連想メモリ（ＣＡＭ（Content Addressable Memory））及びランダムアクセスメモリ（ＲＡＭ）を備える。ＶＰＩ．ＶＣＩは、当該ＶＰＩ．ＶＣＩに一意のアドレスを返すＣＡＭに提供される。このアドレスは、次に、ＵＮＩにおけるＶＰＩ．ＶＣＩを返すＲＡＭに入力される。
【００２５】
上記で解説した実施の形態は、ＡＴＭネットワークによって搬送される移動電話シグナリングを監視して、対象となるチャネルを決定することに関するものである。ＡＴＭネットワークのＡＴＭセルは、ＵＭＴＳ陸上無線アクセスネットワーク（ＵＴＲＡＮ）を監視するために傍受される。傍受されたＡＴＭセルは、自動的に解析されて、静的なノードＢのチャネルと、そのノードＢへまたはノードＢからトラフィックを搬送するのに使用されるＡＴＭネットワークの異なるプライベートチャネルとの間の対応が得られる。この対応及び他の対応は、参照表に記憶することができる。ノードＢのＶＰＩ．ＶＣＩである接続番号のＶＰＩ．ＶＣＩは、接続メッセージから抽出することができる。呼番号を接続メッセージから抽出することができ、その対応と関連させて記憶することができる。接続ブレークダウンメッセージを検出することができ、前に記憶された呼番号と一致する解放メッセージに基づいて、その呼番号に関連付けられた、記憶された対応を消去することができる。
【００２６】
本発明の多くの特徴及び利点は、詳細な明細書から明らかであり、したがって、本発明の真の精神及び範囲内に含まれる本発明のこのようなすべての特徴及び利点を網羅することが添付の特許請求の範囲によって意図されている。さらに、数多くの修正及び変更は当業者に容易に思い付くので、図示して説明した正確な構成及び動作に本発明を限定することは望ましくない。したがって、すべての適切な修正及び均等物は、本発明の範囲内に入るものとして用いることができる。
【００２７】
（実施態様１）
ＡＴＭネットワークによって搬送される移動電話シグナリングを監視して、対象となるチャネルを決定する方法であって、
ＵＭＴＳ陸上無線アクセスネットワーク（ＵＴＲＡＮ）を監視するために傍受されたＡＴＭネットワークのＡＴＭセルを受信するステップ（Ｓ８０、８０）と、
前記傍受されたＡＴＭセルを自動的に解析し、静的なノードＢのチャネルと、前記ノードＢへまたはノードＢからトラフィックを搬送するのに使用される前記ＡＴＭネットワークの異なるプライベートチャネルとの間の対応を得るステップ（Ｓ８２、Ｓ８４、８２，８４）と、
前記対応を記憶するステップ（Ｓ８６）、
を含むことを特徴とする方法。
【００２８】
（実施態様２）
前記解析ステップが、接続メッセージを検出するステップと、ノードＢのＶＰＩ．ＶＣＩである接続番号のＶＰＩ．ＶＣＩを接続メッセージから抽出するステップ（Ｓ８４、８４）を含むことを特徴とする実施態様１に記載の方法。
【００２９】
（実施態様３）
呼番号を前記接続メッセージから抽出するステップと、前記呼番号を前記対応と関連させて記憶するステップ（Ｓ８４、８４）をさらに含むことを特徴とする実施態様２に記載の方法。
【００３０】
（実施態様４）
接続を断絶するための解放メッセージを検出するステップと、以前に記憶された呼番号と一致する前記解放メッセージに基づいて、前記呼番号に関連付けられた、前記記憶された対応を消去するステップ（９０、９２）をさらに含むことを特徴とする実施態様３に記載の方法。
【００３１】
（実施態様５）
計算装置（Ｓ８４、Ｓ８６、８４、８６）であって、実施態様１乃至実施態様４のいずれかに記載の方法を実行するように構成される計算装置。
【００３２】
（実施態様６）
前記装置が、移動ネットワーク監視局（５０、５４）を備えることを特徴とする実施態様５に記載の計算装置。
【００３３】
（実施態様７）
実施態様１乃至実施態様４のいずれかに記載の方法を実行することをコンピュータに可能にする情報を記憶するコンピュータ可読記録媒体。
【００３４】
（実施態様８）
フレームをノードＢに関連付ける方法であって、
プライベートＡＴＭネットワークを介してノードＢと通信するＲＮＣのＰＮＮＩにおいてＡＴＭセルを受信し（Ｓ８０、８０）、前記ノードＢがＵＮＩを使用して前記プライベートＡＴＭネットワークに接続するステップ（Ｓ８０，８０）と、
前記ＲＮＣと前記ノードＢとの間に接続が形成されている場合に、前記受信したＡＴＭセルから、前記ノードＢのＶＰＩ．ＶＣＩと前記プライベートＡＴＭネットワークのＶＰＩ．ＶＣＩとの間の関連を抽出するステップ（Ｓ８２、Ｓ８４、８２、８４）、
を含むことを特徴とする方法。
【図面の簡単な説明】
【００３５】
【図１】関連技術における移動ネットワークの一部を示す図である。
【図２】ＲＮＣがＰＮＮＩを使用してプライベートＡＴＭネットワークとインターフェースする移動ネットワークの一部を示す図である。
【図３】ＰＶＣＣ（相手先固定チャネル接続）をセットアップする、ＲＮＣとＰＮＮＩとの間のメッセージのシーケンスを示す図である。
【図４】接続シーケンスを使用して、ＰＮＮＩにおけるノードＢのトラフィックの監視を容易にするためのプロセスを示す図である。
【図５】図４のプロセスを実施できるシステムを示す図である。
【図６】参照表におけるノードＢのＰＮＮＩのＶＰＩ．ＶＣＩを使用するテスト機器の機能図である。
【図７】より詳細なシステム図である。
【符号の説明】
【００３６】
５０  ＲＮＣ
５２  ＡＴＭネットワーク
５４  ノードＢ
５６  ＡＴＭスイッチ
８０  双方向リンク
８２  ラインインターフェースモジュール
８４  分散ネットワークアナライザ
８６  パーソナルコンピュータ
９０  シグナリングフォロワ
９２  参照表
９４  再組み立てユニット
９６  ＰＣ（パーソナルコンピュータ）
１０２  フィルタ
１０４  バッファ
１０６  メッセージキュー
１０８  マイクロプロセッサ
１１０  参照表
１１２  再組み立てユニット
【図１】
2006270947.tif 000003
【図２】
2006270947.tif 000004
【図３】
2006270947.tif 000005
【図４】
2006270947.tif 000006
【図５】
2006270947.tif 000007
【図６】
2006270947.tif 000008
【図７】
2006270947.tif 000009